【手続補正書】
【提出日】平成29年6月29日(2017.6.29)
【手続補正１】
【補正対象書類名】特許請求の範囲
【補正対象項目名】全文
【補正方法】変更
【補正の内容】
【特許請求の範囲】
【請求項１】
人工呼吸器システムであって、
加圧ガス供給源と、
流体の本体と、
近位端および遠位端を含む、一次ダクトであって、前記近位端は、前記加圧ガス供給源への接続のために適合され、前記一次ダクトはまた、前記近位端と前記遠位端との間の患者インターフェースへの接続のために適合される、一次ダクトと、
少なくとも３つのポートを備える弁であって、前記３つのポートは、１つの入口ポート、第１の出口ポート、および第２の出口ポートを備え、前記入口ポートは、前記一次ダクトの遠位端への接続のために適合される、弁と
を備え、
前記人工呼吸器システムは、
（ｉ）前記弁の第１の出口ポートへの接続のために適合され、前記流体の本体中に浸漬されるように構成される、少なくとも１つのピーク吸気圧（ＰＩＰ）制御ダクトと、
（ｉｉ）前記弁の第２の出口ポートへの接続のために適合され、前記流体の本体中に浸漬されるように構成される、少なくとも１つの終末呼気陽圧（ＰＥＥＰ）制御ダクトと
をさらに備え、
（ｉｉｉ）ＰＩＰ制御ダクトの浸漬される長さは、ＰＥＥＰ制御ダクトの浸漬される長さを上回り、
前記弁は、前記第１の出口ポートと前記第２の出口ポートとの間でサイクルするように構成され、それによって、前記入口ポートから前記第１の出口ポートのみへと、前記入口ポートから前記第２の出口ポートのみへとガスの流れを切り替え、
サイクルは、前記入口ポートから前記第１の出口ポートに接続された前記ＰＩＰ制御ダクトのみへと、前記入口ポートから前記第２の出口ポートに接続された前記ＰＥＥＰ制御ダクトのみへと前記ガスの流れを切り替えることからなる１回の呼吸に対応し、
前記患者がＰＩＰを受ける場合に、前記システムは、前記患者インターフェースから前記弁へ、前記弁を通って前記ＰＩＰ制御ダクトへの第１の順序で前記ガスの流れを指向させるように構成され、前記患者がＰＥＥＰを受ける場合に、前記システムは、前記患者インターフェースから前記弁へ、前記弁を通って前記ＰＥＥＰ制御ダクトへの第２の順序で前記ガスの流れを指向させるように構成され、
前記ＰＩＰ制御ダクトは、前記弁の下流にあり、前記弁は、前記患者インターフェースから前記ＰＩＰ制御ダクトへの前記ガスの流れの一線にある、人工呼吸器システム。
【請求項２】
流体の本体を含む容器をさらに備え、前記ＰＩＰ制御ダクトおよび前記ＰＥＥＰ制御ダクトは、前記容器内の流体の本体中に浸漬される、請求項１に記載の人工呼吸器システム。
【請求項３】
少なくとも２つの容器をさらに備え、第１の容器は、流体の本体を含み、第２の容器は、流体の本体を含み、前記ＰＩＰ制御ダクトは、前記第１の容器内の流体の本体中に浸漬され、前記ＰＥＥＰ制御ダクトは、前記第２の容器内の流体の本体中に浸漬される、請求項１に記載の人工呼吸器システム。
【請求項４】
コントローラが、前記弁に通信可能に接続され、前記弁のサイクリング速度を制御し、それによって、１分あたりの呼吸数を制御し、かつ（ａ）秒単位の吸気時間、（ｂ）吸気時間と呼気時間の比率、および（ｃ）サイクル時間のパーセントとしての吸気時間のうちの少なくとも１つを制御し、それによって、ユーザによって所望される吸気時間と呼気時間の比率を維持する、請求項１に記載の人工呼吸器システム。
【請求項５】
前記ＰＩＰ制御ダクトおよびＰＥＥＰ制御ダクトの浸漬される長さに対して補正が行われ、前記人工呼吸器システムは、前記補正と前記人工呼吸器システム内のガスの流速との間の関係を示すチャートをさらに備える、請求項１に記載の人工呼吸器システム。
【請求項６】
前記一次ダクトへの接続のために適合され、流体の本体中に浸漬されるように構成される少なくとも１つの安全ダクトをさらに備え、前記安全ダクトの浸漬される長さは、前記ＰＩＰ制御ダクトの浸漬される長さを上回る、請求項１に記載の人工呼吸器システム。
【請求項７】
前記弁は、約１．５を上回る流れ係数Ｃｖを有する、請求項１に記載の人工呼吸器システム。
【請求項８】
前記弁は、ソレノイド弁であり、前記流体は、水を含む、請求項１に記載の人工呼吸器システム。
【請求項９】
少なくとも１つの角度付けられた区分が、前記ＰＩＰ制御ダクトおよび前記ＰＥＥＰ制御ダクトのうちの少なくとも１つの先端に接続される、請求項１に記載の人工呼吸器システム。
【請求項１０】
前記第１の容器のサイズおよび形状は、前記第２の容器のサイズおよび形状に類似し、前記第１の容器内の前記ＰＩＰ制御ダクトの先端の場所は、前記第２の容器内の前記ＰＥＥＰ制御ダクトの先端の場所に類似する、請求項３に記載の人工呼吸器システム。
【請求項１１】
患者に呼吸支援を提供するための装置であって、
少なくとも３つのポートを備える弁であって、前記３つのポートは、１つの入口ポート、第１の出口ポート、および第２の出口ポートを備え、前記入口ポートは、ガスの流れのために構成される一次ダクトを介した患者インターフェースへの接続のために適合される、弁と、
前記弁の第１の出口ポートへの接続のために適合される少なくとも１つのピーク吸気圧（ＰＩＰ）制御ダクトと、
前記弁の第２の出口ポートへの接続のために適合される少なくとも１つの終末呼気陽圧（ＰＥＥＰ）制御ダクトと、
前記弁に通信可能に接続され、前記弁のサイクリング速度を制御し、それによって、１分あたりの呼吸数を制御し、かつ（ａ）秒単位の吸気時間、（ｂ）吸気時間と呼気時間の比率、および（ｃ）サイクル時間のパーセントとしての吸気時間のうちの少なくとも１つを制御し、それによって、ユーザによって所望される吸気時間と呼気時間の比率を維持する、少なくとも１つのコントローラと
を備え、
前記弁は、前記第１の出口ポートと前記第２の出口ポートとの間でサイクルするように構成され、それによって、前記入口ポートから前記第１の出口ポートのみへと、前記入口ポートから前記第２の出口ポートのみへとガスの流れを切り替え、
サイクルは、前記入口ポートから前記第１の出口ポートに接続された前記ＰＩＰ制御ダクトのみへと、前記入口ポートから前記第２の出口ポートに接続された前記ＰＥＥＰ制御ダクトのみへと前記ガスの流れを切り替えることからなる１回の呼吸に対応し、
前記患者がＰＩＰを受ける場合に、前記装置は、前記患者インターフェースから前記弁へ、前記弁を通って前記ＰＩＰ制御ダクトへの第１の順序で前記ガスの流れを指向させるように構成され、前記患者がＰＥＥＰを受ける場合に、前記装置は、前記患者インターフェースから前記弁へ、前記弁を通って前記ＰＥＥＰ制御ダクトへの第２の順序で前記ガスの流れを指向させるように構成され、
前記ＰＩＰ制御ダクトは、前記弁の下流にあり、前記弁は、前記患者インターフェースから前記ＰＩＰ制御ダクトへの前記ガスの流れの一線にある、装置。
【請求項１２】
前記弁は、ソレノイド弁であり、約１．５を上回る流れ係数Ｃｖを有する、請求項１１に記載の装置。
【請求項１３】
容器をさらに備え、前記容器は、室温の水の本体を含有し、前記ＰＩＰ制御ダクトおよび前記ＰＥＥＰ制御ダクトは、前記容器内の水の本体中に浸漬されるように構成され、ＰＩＰ制御ダクトの浸漬される長さは、ＰＥＥＰ制御ダクトの浸漬される長さを上回る、請求項１１に記載の装置。
【請求項１４】
少なくとも２つの容器をさらに備え、第１の容器は、室温の水の本体を含み、第２の容器は、室温の水の本体を含み、前記ＰＩＰ制御ダクトは、前記第１の容器内の水の本体中に浸漬され、前記ＰＥＥＰ制御ダクトは、前記第２の容器内の水の本体中に浸漬される、請求項１１に記載の装置。
【請求項１５】
前記一次ダクトへの接続のために適合され、水の本体中に浸漬されるように構成される、少なくとも１つの安全ダクトをさらに備え、前記安全ダクトの浸漬される長さは、前記ＰＩＰ制御ダクトの浸漬される長さを上回る、請求項１３または１４に記載の装置。
【手続補正２】
【補正対象書類名】明細書
【補正対象項目名】００１２
【補正方法】変更
【補正の内容】
【００１２】
ある実施形態では、使用される流体は、水である。他の実施形態では、ピーク吸気圧制御ダクトおよび終末呼気陽圧制御ダクトは、約０．５〜２ｃｍの内径を有する実質的に円形であって、容器内側のそれの浸漬される長さは、約２−５０ｃｍの範囲内である。
本願明細書は、例えば、以下の項目も提供する。
（項目１）
人工呼吸器システムであって、
加圧ガス供給源と、
流体の本体と、
近位端および遠位端を含む、一次ダクトであって、前記近位端は、前記加圧ガス供給源への接続のために適合され、前記一次ダクトはまた、前記近位端と前記遠位端との間の患者インターフェースへの接続のために適合される、一次ダクトと、
少なくとも３つのポートを備える弁であって、前記３つのポートは、１つの入口ポート、第１の出口ポート、および第２の出口ポートを備え、前記入口ポートは、前記一次ダクトの遠位端への接続のために適合される、弁と
を備え、
（ｉ）前記弁の第１の出口ポートへの接続のために適合され、前記流体の本体中に浸漬されるように構成される、少なくとも１つのピーク吸気圧（ＰＩＰ）制御ダクトと、
（ｉｉ）前記弁の第２の出口ポートへの接続のために適合され、前記流体の本体中に浸漬されるように構成される、少なくとも１つの終末呼気陽圧（ＰＥＥＰ）制御ダクトと
をさらに備え、
（ｉｉｉ）ＰＩＰ制御ダクトの浸漬される長さは、ＰＥＥＰ制御ダクトの浸漬される長さを上回る、人工呼吸器システム。
（項目２）
流体の本体を含む容器をさらに備え、前記ＰＩＰ制御ダクトおよび前記ＰＥＥＰ制御ダクトは、前記容器内の流体の本体中に浸漬される、項目１に記載の人工呼吸器システム。
（項目３）
少なくとも２つの容器をさらに備え、第１の容器は、流体の本体を含み、第２の容器も、流体の本体を含み、前記ＰＩＰ制御ダクトは、前記第１の容器内の流体の本体中に浸漬され、前記ＰＥＥＰ制御ダクトは、前記第２の容器内の流体の本体中に浸漬される、項目１に記載の人工呼吸器システム。
（項目４）
コントローラが、前記弁に通信可能に接続され、前記弁のサイクリング速度を制御し、それによって、１分あたりの呼吸数を制御し、かつ（ａ）秒単位の吸気時間、（ｂ）吸気時間と呼気時間の比率、および（ｃ）サイクル時間のパーセントとしての吸気時間のうちの少なくとも１つを制御し、それによって、ユーザによって所望される吸気時間と呼気時間の比率を維持する、項目１に記載の人工呼吸器システム。
（項目５）
前記ＰＩＰ制御ダクトおよびＰＥＥＰ制御ダクトの浸漬される長さに対して補正が行われ、前記補正と前記人工呼吸器システム内のガスの流速との間の関係を示すチャートをさらに備える、項目１に記載の人工呼吸器システム。
（項目６）
前記一次ダクトへの接続のために適合され、流体の本体中に浸漬されるように構成される少なくとも１つの安全ダクトをさらに備え、前記安全ダクトの浸漬される長さは、前記ＰＩＰ制御ダクトの浸漬される長さを上回る、項目１に記載の人工呼吸器システム。
（項目７）
前記弁は、約１．５を上回る流れ係数Ｃｖを有する、項目１に記載の人工呼吸器システム。
（項目８）
前記弁は、ソレノイド弁であって、前記流体は、水を含む、項目１に記載の人工呼吸器システム。
（項目９）
少なくとも１つの角度付けられた区分が、前記ＰＩＰ制御ダクトおよび前記ＰＥＥＰ制御ダクトのうちの少なくとも１つの先端に接続される、項目１に記載の人工呼吸器システム。
（項目１０）
前記第１の容器のサイズおよび形状は、前記第２の容器のサイズおよび形状に類似し、前記第１の容器内のＰＩＰ制御ダクトの先端の場所は、前記第２の容器内のＰＥＥＰ制御ダクトの先端の場所に類似する、項目３に記載の人工呼吸器システム。
（項目１１）
患者に呼吸支援を提供するための装置であって、
少なくとも３つのポートを備える弁であって、前記３つのポートは、１つの入口ポート、第１の出口ポート、および第２の出口ポートを備え、前記入口ポートは、ガス流のために構成される一次ダクトを介した前記患者への接続のために適合される、弁と、
前記弁の第１の出口ポートへの接続のために適合される少なくとも１つのピーク吸気圧（ＰＩＰ）制御ダクトと、
前記弁の第２の出口ポートへの接続のために適合される少なくとも１つの終末呼気陽圧（ＰＥＥＰ）制御ダクトと、
前記弁に通信可能に接続され、前記弁のサイクリング速度を制御し、それによって、１分あたりの呼吸数を制御し、かつ（ａ）秒単位の吸気時間、（ｂ）吸気時間と呼気時間の比率、および（ｃ）サイクル時間のパーセントとしての吸気時間のうちの少なくとも１つを制御し、それによって、ユーザによって所望される吸気時間と呼気時間の比率を維持する、少なくとも１つのコントローラと
を備える、装置。
（項目１２）
前記弁は、ソレノイド弁であって、約１．５を上回る流れ係数Ｃｖを有する、項目１１に記載の装置。
（項目１３）
容器をさらに備え、前記容器は、室温の水の本体を含有し、前記ＰＩＰ制御ダクトおよび前記ＰＥＥＰ制御ダクトは、前記容器内の水の本体中に浸漬されるように構成され、ＰＩＰ制御ダクトの浸漬される長さは、ＰＥＥＰ制御ダクトの浸漬される長さを上回る、項目１１に記載の装置。
（項目１４）
少なくとも２つの容器をさらに備え、第１の容器は、室温の水の本体を含み、第２の容器は、室温の水の本体を含み、前記ＰＩＰ制御ダクトは、前記第１の容器内の水の本体中に浸漬され、前記ＰＥＥＰ制御ダクトは、前記第２の容器内の水の本体中に浸漬される、項目１１に記載の装置。
（項目１５）
前記一次ダクトへの接続のために適合され、水の本体中に浸漬されるように構成される、少なくとも１つの安全ダクトをさらに備え、前記安全ダクトの浸漬される長さは、前記ＰＩＰ制御ダクトの浸漬される長さを上回る、項目１３または１４に記載の装置。